Podtech/llm-jp-corpus-v4-ja_patent huggingface dataset:
【誤訳訂正書】
【提出日】平成25年9月11日(2013.9.11)
【誤訳訂正１】
【訂正対象書類名】特許請求の範囲
【訂正対象項目名】全文
【訂正方法】変更
【訂正の内容】
【特許請求の範囲】
【請求項１】
第１及び第２目立てパターンを併含するピッチパターンに従い並ぶ複数本の歯を有し、
その第１目立てパターンが、互いにほぼ同じ略第２傾斜振幅で傾斜する複数本の急傾斜歯を含み、先行する直歯並びに右急傾斜歯及び左急傾斜歯を含む単レベル目立てパターンであり、
第２目立てパターンが、略第１傾斜振幅で傾斜する複数本の緩傾斜歯及び略第２傾斜振幅で傾斜する複数本の急傾斜歯を含み、先行する直歯並びに右緩傾斜歯、左急傾斜歯、右急傾斜歯及び左緩傾斜歯を含む複レベル目立てパターンであり、
第２傾斜振幅が第１傾斜振幅より大きい、
ソーブレード。
【請求項２】
請求項１記載のソーブレードであって、個々の目立てパターンが、先行する直歯及びそれに後続する複数本の傾斜歯を含むソーブレード。
【請求項３】
請求項２記載のソーブレードであって、後続する傾斜歯が１本ずつ互い違いの方向に傾斜しているソーブレード。
【請求項４】
請求項１記載のソーブレードであって、バンドソーブレードであるソーブレード。
【請求項５】
請求項１記載のソーブレードであって、同じ目立てパターンに属する歯同士でそのピッチ／目立て構造が異なるソーブレード。
【請求項６】
請求項５記載のソーブレードであって、同じピッチパターンに属する歯のうち幾本かが互いに同ピッチ且つ異傾斜、他の幾本かが互いに同傾斜且つ異ピッチであるソーブレード。
【請求項７】
請求項６記載のソーブレードであって、同じピッチパターンに属する歯同士でそのピッチ／目立て構造が異なるソーブレード。
【請求項８】
請求項１記載のソーブレードであって、各ピッチパターン内に３歯目立てパターン及び５歯目立てパターンがあるソーブレード。
【請求項９】
請求項８記載のソーブレードであって、そのうち３歯目立てパターンが単レベル目立てパターン、５歯目立てパターンが複レベル目立てパターンであるソーブレード。
【請求項１０】
請求項１記載のソーブレードであって、各ピッチパターン内に５歯目立てパターンが複数個あるソーブレード。
【請求項１１】
請求項１０記載のソーブレードであって、その５歯目立てパターンのうち１個が単レベル目立てパターン、他の１個が複レベル目立てパターンであるソーブレード。
【請求項１２】
請求項１記載のソーブレードであって、その第１目立てパターンが、それら直歯、右急傾斜歯及び左急傾斜歯が他の歯を差し挟まずこの順で並ぶパターンであるソーブレード。
【請求項１３】
請求項１２記載のソーブレードであって、その第２目立てパターンが、それら直歯、右緩傾斜歯、左急傾斜歯、右急傾斜歯及び左緩傾斜歯が他の歯を差し挟まずこの順で並ぶパターンであるソーブレード。
【請求項１４】
請求項１３記載のソーブレードであって、緩傾斜歯同士、急傾斜歯同士でその傾斜振幅がほぼ等しいソーブレード。
【請求項１５】
請求項１２記載のソーブレードであって、その第１目立てパターンが、先行する直歯並びに右急傾斜歯、左急傾斜歯、右急傾斜歯及び左急傾斜歯が他の歯を差し挟まずこの順で並ぶパターンであるソーブレード。
【請求項１６】
請求項１５記載のソーブレードであって、その第２目立てパターンが、それら直歯、右緩傾斜歯、左急傾斜歯、右急傾斜歯及び左緩傾斜歯が他の歯を差し挟まずこの順で並ぶパターンであるソーブレード。
【請求項１７】
先行する直歯及び後続する急傾斜歯を含む単レベル目立てパターンと、先行する直歯並びに後続する緩傾斜歯及び急傾斜歯を含む複レベル目立てパターンを含め複数通りの目立てパターンを併含するピッチパターンを呈するバンドソーブレード。
【請求項１８】
請求項１７記載のバンドソーブレードであって、そのピッチパターン内に、３歯目立てパターン及び５歯目立てパターン、或いは複数個の５歯目立てパターンがあるバンドソーブレード。
【請求項１９】
請求項１７記載のバンドソーブレードであって、その複レベル目立てパターンが、相連なっていてその傾斜方向が互いに異なる２本の急傾斜歯と、それら急傾斜歯を挟むように配置されていてその傾斜方向が互いに異なる２本の緩傾斜歯と、を含むバンドソーブレード。
【請求項２０】
先行する直歯及び後続する急傾斜歯を含む単レベル目立てパターンと、先行する直歯並びに後続する緩傾斜歯及び急傾斜歯を含む複レベル目立てパターンを併含するピッチパターンに従うバンドソーブレードを、そのパワーが約１〜約８ｋＷ即ち約１＋１／３〜約１０＋１／２馬力の域内にあるバンドソーに装着するステップと、
その実質切断長が約１５０〜約１０００ｍｍ即ち約６〜約４０インチの域内にあるワークピースを少なくとも１個、バンドソーに装着されたバンドソーブレードで切断するステップと、
を有する方法。
【請求項２１】
請求項２０記載の方法であって、そのワークピースが金属製である方法。
【請求項２２】
請求項２０記載の方法であって、そのバンドソーブレードの幅が約２７〜約５４ｍｍ即ち約１〜約２インチの域内、ピッチが約４／６〜約１．４／２の域内である方法。
【誤訳訂正２】
【訂正対象書類名】明細書
【訂正対象項目名】００１０
【訂正方法】変更
【訂正の内容】
【００１０】
第１目立てパターンは、例えば、先行する直歯並びに右急傾斜歯(right relatively heavy set tooth)及び左急傾斜歯(left relatively heavy set tooth)を含む単レベル目立てパターンとする。第２目立てパターンは、例えば、先行する直歯並びに右緩傾斜歯(right relatively light set tooth)、左急傾斜歯、右急傾斜歯及び左緩傾斜歯(left relatively light set tooth)を含む複レベル目立てパターンとする。これらの場合、第１目立てパターンを直歯、右急傾斜歯及び左急傾斜歯が他の歯を差し挟まずこの順で並ぶパターンにし、第２目立てパターンを直歯、右緩傾斜歯、左急傾斜歯、右急傾斜歯及び左緩傾斜歯が他の歯を差し挟まずこの順で並ぶパターンにするのが望ましい。傾斜振幅は、緩傾斜歯同士、急傾斜歯同士でほぼ等しくするとよい。また、第１目立てパターンを直歯、右急傾斜歯、左急傾斜歯、右急傾斜歯及び左急傾斜歯が他の歯を差し挟まずこの順で並ぶパターンにし、第２目立てパターンを直歯、右緩傾斜歯、左急傾斜歯、右急傾斜歯及び左緩傾斜歯が他の歯を差し挟まずこの順で並ぶパターンにしてもよい。
【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
研磨物品であって、
第１の主表面と、該第１の主表面に対向する第２の主表面とを有する裏材と、
前記第１の主表面に取り付けられる三次元研磨層であって、前記三次元研磨層は複数の成形研磨複合体を含み、前記複数の成形研磨複合体は前記成形研磨複合体の間の複数のランド領域によって離間され、前記成形研磨複合体のそれぞれは上面と側壁とを含み、前記複数の成形研磨複合体及び前記複数のランド領域は共に、有機結合剤内に分散された研磨粒子から形成される、三次元研磨層と、
前記複数の成形研磨複合体の少なくともいくつかの上面上に位置付けられる予備処理指標と、
前記複数のランド領域の少なくとも一部の上に位置付けられる持続的指標と、を含む研磨物品。
【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
人工装具組立体であって、
本体部分と、
本体部分のリムに設けられ且つ第１の開口及び第２の開口をそれぞれ有する第１のフランジ及び第２のフランジと、
第１のフランジと第２のフランジの間を橋渡しするように、第１のフランジ及び第２のフランジに結合可能であり、且つ、第３の開口を有するブリッジ部材と、を有し、
第１の開口、第２の開口、及び第３の開口はそれぞれ、第１の骨取付け手段、第２の骨取付け手段、及び第３の骨取付け手段を受入れるように構成される、人工装具組立体。
【請求項２】
第１の開口は、その軸線が本体部分の中心線を含む第１の平面内に配向されるように配置される、請求項１に記載の人工装具組立体。
【請求項３】
第２の開口は、その開口の軸線が本体部分の中心線を含む第２の平面内に配向されるように配置される、請求項１又は２に記載の人工装具組立体。
【請求項４】
１つ又は２つ以上の第１の開口及び第２の開口は、その軸線が本体部分の中心線に向かって傾斜するように配置される、請求項１〜３のいずれか１項に記載の人工装具組立体。
【請求項５】
第１の開口及び／又は第２の開口は、その軸線が本体部分の中心線に対して実質的に＋６０度から実質的に−６０度までの範囲で傾斜するように配置される、請求項４に記載の人工装具組立体。
【請求項６】
第１の開口及び／又は第２の開口は、その軸線が本体部分の中心線に対して実質的に−２０度の角度で傾斜するように配置される、請求項５に記載の人工装具組立体。
【請求項７】
第３の開口は、その軸線が本体部分の中心線及び第３の開口を含む第３の平面に対して傾斜するように配置される、請求項１〜６のいずれか１項に記載の人工装具組立体。
【請求項８】
第３の開口は、その軸線が本体部分の中心線を含む第３の平面内に配向されるように配置される、請求項１〜６のいずれか１項に記載の人工装具組立体。
【請求項９】
ブリッジ部材は、第４の開口及び第５の開口を有し、第４の開口は、第１のフランジの第１の開口に重なるように配置され、第５の開口は、第２のフランジの第２の開口に重なるように配置される、請求項１〜８のいずれか１項に記載の人工装具組立体。
【請求項１０】
第４の開口及び第５の開口は、第１の骨取付け手段が第１の開口内にいったん受入れられたときに第１の骨取付け手段が第４の開口及び第１の開口を通るように、及び、第２の骨取付け手段が第２の開口内にいったん受入れられたときに第２の骨取付け手段が第５の開口及び第２の開口を通るように配置される、請求項９に記載の人工装具組立体。
【請求項１１】
第１の骨取付け手段及び第２の骨取付け手段は、ブリッジ部材を第１のフランジ及び第２のフランジに固着させることができる、請求項９又は１０に記載の人工装具組立体。
【請求項１２】
ブリッジ部材は、第４の開口及び第５の開口をそれぞれ通る第１の固着手段及び第２の固着手段によって、第１のフランジ及び第２のフランジに固着される、請求項９に記載の人工装具組立体。
【請求項１３】
本体部分は、補助的な骨係合要素を受入れるための凹部を有する、請求項１〜１２のいずれか１項に記載の人工装具組立体。
【請求項１４】
補助的な骨係合要素は、圧縮ねじ、ロックねじ、ねじプレート、固定ブレード、フック、及び補強体の少なくとも１つを含む、請求項１３に記載の人工装具組立体。
【請求項１５】
本体部分は、寛骨臼カップを有する、請求項１〜１４のいずれか１項に記載の人工装具組立体。
【請求項１６】
本体部分は、単一ブロックを含む、請求項１〜１５のいずれか１項に記載の人工装具組立体。
【請求項１７】
第１のフランジ及び第２のフランジの少なくとも一方は、本体部分のリムに対して傾斜する、請求項１〜１６のいずれか１項に記載の人工装具組立体。
【請求項１８】
第１のフランジ及び第２のフランジの少なくとも一方は、ドリルガイドを第１のフランジ及び／又は第２のフランジに固着させるための固着手段を有する、請求項１〜１７のいずれか１項に記載の人工装具組立体。
【請求項１９】
ブリッジ部材は、さらなるドリルガイドをブリッジ部材に固着させるためのさらなる固着手段を有する、請求項１〜１８のいずれか１項に記載の人工装具組立体。
【請求項２０】
人工装具用の部品のキットであって、
本体部分と、
本体部分のリムに設けられ且つ第１の開口及び第２の開口をそれぞれ有する第１のフランジ及び第２のフランジと、
第１のフランジと第２のフランジの間を橋渡しするように、第１のフランジ及び第２のフランジに結合可能であり、且つ、第３の開口を有するブリッジ部材と、を有し、
第１の開口、第２の開口、及び第３の開口はそれぞれ、第１の骨取付け手段、第２の骨取付け手段、及び第３の骨取付け手段を受入れるように構成される、キット。
【請求項２１】
第３の開口は、その軸線が本体部分の中心線及び第３の開口を含む第３の平面に対して傾斜するように配置される、請求項２０に記載のキット。
【請求項２２】
さらに、第１のフランジと第２のフランジの間を橋渡しするように、前記第１のフランジ及び前記第２のフランジに結合可能であり、且つ、第３の骨取付け手段を受入れるのに適した第６の開口を有する第２のブリッジ部材を有し、第６の開口は、その軸線が第１のブリッジ部材の第３の開口の軸線と反対の方向に第３の平面に対して傾斜するように配置される、請求項２１に記載のキット。
【請求項２３】
第３の開口は、その軸線が本体部分の中心線を含む第３の平面内に配向されるように配置される、請求項２０に記載のキット。
【請求項２４】
さらに、圧縮ねじ、ロックねじ、ねじプレート、固定ブレード、フック、及び補強体のうちの少なくとも１つを有する、請求項２０〜２３のいずれか１項に記載のキット。
【請求項２５】
さらに、第１のフランジ、第２のフランジ、第１のブリッジ部材、及び第２のブリッジ部材の少なくとも１つに取付けるための少なくとも１つのドリルガイドを有する、請求項２０〜２４のいずれか１項に記載のキット。
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
ステント・グラフト・システムであって、当該システムが：
第１のステントグラフトであって、該ステントグラフトが：
第１のステント；
前記第１のステントによって支えられた第１のインナーグラフト部分；
該第１のステントによって支えられた第２のインナーグラフト部分；
上記第１のインナーグラフト部分と上記第２のインナーグラフト部分との間の開口またはギャップ；
および、アウターグラフト；
を含んでいる、第１のステントグラフト；
を含み、
ここで：
該第１のインナーグラフト部分と該第２のインナーグラフト部分との間の上記開口またはギャップは、上記第１のステントの一部が上記第１のインナーグラフト部分または該第２のインナーグラフト部分のどちらによってもカバーされていない状態となるような仕方で位置付けられており
上記アウターグラフトの第１の部分および第２の部分が上記第１のステントに取り付けられており；
前記アウターグラフトは、少なくとも該アウターグラフトならびに、上記第１および上記第２のインナーグラフト部分との間に充満可能なスペースを形成するために、該アウターグラフトの前記第１の部分と前記第２の部分との間では該第１のステントによって支えられていない；
ステント・グラフト・システム。
【請求項２】
上記第１および第２のインナーグラフト部分が上記第１のステントの外面に隣接している、請求項１記載のステント・グラフト・システム。
【請求項３】
上記アウターグラフトの少なくとも中間部分が上記第１のインナーグラフト部分および上記第２のインナーグラフト部分よりも大きな外周を有している、請求項１記載のステント・グラフト・システム。
【請求項４】
上記アウターグラフトは、血液が上記第１のインナーグラフト部分と上記第２のインナーグラフト部分との間の上記開口またはギャップを通って流れるときに、血管壁の内面に接触する状態にまで拡張することができるように構成されている、請求項１記載のステント・グラフト・システム。
【請求項５】
上記第１のステントグラフトが分岐型のステントグラフトである、請求項１記載のステント・グラフト・システム。
【請求項６】
更に、上記アウターグラフトによって支えられた１つもしくはそれ以上の放射線不透過性マーカーを含む、請求項１記載のステント・グラフト・システム。
【請求項７】
上記第１のステントグラフトが血管枝内に位置付けられ、該第１のステントグラフトが主枝ステントグラフトによって支えられている、請求項１記載のステント・グラフト・システム。
【請求項８】
上記血管枝が腸骨動脈である、請求項７記載のステント・グラフト・システム。
【請求項９】
ステント・グラフト・システムであって、当該システムが：
そこを通じる流動用管腔を有するステント；
上記ステントの長さの少なくとも一部に沿って支えられた第１のインナーグラフト；
上記第１のインナーグラフトの壁を通じて形成された１つもしくはそれ以上の開口；
上記１つもしくはそれ以上の開口と連通した状態にある１つもしくはそれ以上のバルブメンバーであって、該バルブメンバーは、血液が該管腔から前記開口を通って該スペース内へ流入することを可能に成し、且つ、前記スペースから該開口を通って該管腔内へ流入する血液の流れを少なくとも阻止することができるように構成されている、１つもしくはそれ以上のバルブメンバー；および
上記ステントの周りに位置付けられたアウターグラフトであって、少なくとも上記第１のインナーグラフトの壁を通じて形成された上記１つもしくはそれ以上の開口をカバーすることができるように構成されている、アウターグラフト；
を含み、
ここで、上記ステントグラフトが、上記アウターグラフトと、少なくとも上記第１のインナーグラフトと、更には上記１つもしくはそれ以上のバルブメンバーとの間に実質的に密閉されたスペースが創出されるような仕方で構成されている；
ステント・グラフト・システム。
【請求項１０】
上記第１のステントグラフトが分岐型のステントグラフトである、請求項９記載のステント・グラフト・システム。
【請求項１１】
上記１つもしくはそれ以上のバルブメンバーが、上記第１のインナーグラフトの壁を通じて形成された上記１つもしくはそれ以上の開口を選択的にカバーすることができるように構成された１つもしくはそれ以上のフラップメンバーを含んでいる、請求項９記載のステント・グラフト・システム。
【請求項１２】
上記第１のインナーグラフトが編組金属構造または多孔質材料から作られており、ここで、上記開口が該材料の細孔である、請求項９記載のステント・グラフト・システム。
【請求項１３】
更に、上記第１のインナーグラフト部分と上記第２のインナーグラフト部分との間の上記開口またはギャップを密封状態でカバーするために上記第１のステントグラフトの内側の範囲内で展開可能な第２のステントグラフトを含み、該第２のステントグラフトが第２のステントと第２のグラフトとを有しており、且つ、前記開口またはギャップの長さよりも大きい長さを有している、請求項１記載のステント・グラフト・システム。
【請求項１４】
請求項１記載のステント・グラフト・システムにおいて：
上記第１のステントグラフトが上記第１のインナーグラフト部分と上記第２のインナーグラフト部分との間に開口を有しており；そして
当該ステント・グラフト・システムが、更に、上記開口と連通した状態にあるバルブメンバーを含んでいて、該バルブメンバーが、上記第１のステントの管腔から前記開口を通じて上記充満可能なスペース内に血液が流入することを可能に成し、且つ、該充満可能なスペースから該開口を通じて前記管腔内へ流入する血液の流れを少なくとも阻止することができるように構成されている；
請求項１記載のステント・グラフト・システム。
【請求項１５】
請求項１４記載のステント・グラフト・システムにおいて：
上記第１のステントグラフトが上記第１のインナーグラフト部分と上記第２のインナーグラフト部分との間に開口を有しており；そして
上記バルブメンバーが上記開口を選択的にカバーすることができるように構成されたフラップメンバーを含んでいる；
請求項１４記載のステント・グラフト・システム。
【手続補正書】
【提出日】平成25年7月2日(2013.7.2)
【手続補正１】
【補正対象書類名】特許請求の範囲
【補正対象項目名】全文
【補正方法】変更
【補正の内容】
【特許請求の範囲】
【請求項１】
上流側媒体層と、
二成分層と、
ベース層と
を含む、多層フィルター媒体構築物。
【請求項２】
前記上流側媒体層が、ＰＴＦＥを含む、請求項１に記載のフィルター媒体構築物。
【請求項３】
前記二成分層が、不織布ポリエチレン／ポリエチレンテレフタレートを含む、請求項１に記載のフィルター媒体構築物。
【請求項４】
前記ベース層が、活性炭を含む、請求項１に記載のフィルター媒体構築物。
【請求項５】
前記ベース層が、ナノ繊維をさらに含む、請求項４に記載のフィルター媒体構築物。
【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
組織の穴を気化させるための装置であって、
気化要素と、
気化要素を２００℃から６００℃までの範囲の温度に加熱するように構成された加熱要素と、
穴からの予め定められた付帯的損傷距離を越える距離で組織の熱緩和時間未満の短い時間内に、気化要素を組織の特定の深さまで前進させかつ気化要素を組織から後退させるように構成された機構と
を含む装置。
【請求項２】
気化要素の移動中に、気化要素は加熱要素と接触しない、請求項１に記載の装置。
【請求項３】
気化要素は８０ワット／Ｋ／メートルより大きい熱伝導係数を有する材料を含む、請求項１または２に記載の装置。
【請求項４】
気化要素は０．３キロジュール／ｋｇ／Ｋより大きい比熱容量を有する材料を含む、請求項１〜３のいずれかに記載の装置。
【請求項５】
組織にＨの深さを有する穴を生成し、熱拡散係数Ｂおよび単位体積当たりの気化エネルギーＨνを有する組織で、付帯的損傷が穴からＺ以内の距離に延びるようにするために、気化要素と組織との間の℃単位の温度差Ｔを使用し、ＫＣρ＞（ＨνＨＢ）２／（ＴＺ）２となるような材料を含むように気化要素を選択し、ここでＫは気化要素の熱伝導係数、Ｃは気化要素の熱容量、ρは気化要素の密度である、請求項１〜４のいずれかに記載の装置。
【請求項６】
組織と接触して配置されるように構成された保護板をさらに含み、気化要素は特定の深さを、保護板を越えて組織内に延長するように構成される、請求項１〜５のいずれかに記載の装置。
【請求項７】
調和振動子をさらに含み、調和振動子は気化要素を含み、かつ調和振動子は１０ミリ秒から１００ミリ秒の範囲の振動周期を有する、請求項１〜６のいずれかに記載の装置。
【請求項８】
気化要素の前進行程を制限するように構成されたスペーサと、機構が複数の気化要素を短時間内に前進および後退させるように構成され、かつスペーサが複数の穴を含み、そこを介して複数の気化要素を組織内に送り込むことができるようにした、複数の気化要素とをさらに含む、請求項１〜７のいずれかに記載の装置。
【請求項９】
実質的に表皮だけを気化するために、特定の深さは４０ミクロン以下の範囲である、請求項８に記載の装置。
【請求項１０】
組織と接触して配置されるように構成された保護板は、断熱材を含む、請求項６〜９のいずれかに記載の装置。
【請求項１１】
加熱要素は光学的熱源を含む、請求項１〜１０のいずれかに記載の装置。
【請求項１２】
加熱、前進、および後退の速度は、１〜１００パルス／秒の繰返し率の気化の繰返しパルスを支持する、請求項１〜１１のいずれかに記載の装置。
【請求項１３】
気化要素が加熱される温度および短い持続時間の組合せは、組織の付帯的損傷を１５０ミクロン未満の距離に制限するように選択される、請求項１〜１２のいずれかに記載の装置。
【請求項１４】
保護板を冷却するための冷却手段をさらに含む、請求項６〜１３のいずれかに記載の装置。
【請求項１５】
気化要素の先端は気化要素の本体より細い、請求項１〜１４のいずれかに記載の装置。
【手続補正書】
【提出日】平成25年7月10日(2013.7.10)
【手続補正１】
【補正対象書類名】特許請求の範囲
【補正対象項目名】請求項１１
【補正方法】変更
【補正の内容】
【請求項１１】
撮像領域の周りを回転している間に、Ｘ線放射線のＸ線ビームを放射するためのＸ線源、並びに前記Ｘ線源により放射され、前記撮像領域を通過したＸ線放射線を検出する、及び検出信号を出力するための複数の検出器セルを有するＸ線検出器を有するＸ線検査装置をコンピュータに制御させるためのプログラムコード手段を有するコンピュータプログラムであり、前記Ｘ線検査装置を制御して
検出間隔の間に前記Ｘ線束を調整し、前記検出間隔の最初に、直接のＸ線ビームにおける前記Ｘ線検出器の飽和を避けるＸ線束レベルから始まり、その後前記Ｘ線束を増大させ、
前記検出信号を評価し、当該評価は、
ｉ）検出間隔の間に、既定の検出器セル及び/又は検出器セルの集合において飽和を検出するステップ、
ｉｉ）前記検出間隔の残りの時間に、飽和した検出器セル又は検出セルの集合においてＸ線放射線の検出を停止するステップ、及び
ｉｉｉ）その間にＸ線放射線が飽和することなく検出された前記時間間隔の実効時間の部分を示す時間情報を得るステップ
を有し、並びに
前記検出信号に基づいてＸ線画像を再構成し、飽和によって検出間隔の間に、Ｘ線放射線の検出を停止した検出器セル及び/又は検出器セルの集合の検出信号は、前記時間情報を用いて訂正される、
ように命令するプログラムコードを有するコンピュータプログラム。
【手続補正書】
【提出日】平成25年7月17日(2013.7.17)
【手続補正１】
【補正対象書類名】特許請求の範囲
【補正対象項目名】全文
【補正方法】変更
【補正の内容】
【特許請求の範囲】
【請求項１】
穿刺装置とともに使用するためのチップであって、
外周縁を有する基部と、
前記基部から上方へ延び、患者の皮膚と整合する実質的に鞍状の末端表面を形成する壁
と、
前記チップを完全に貫通する開口と、
を含む鞍状のチップ。
【請求項２】
前記末端表面は、約１５度以上から２０度以下までの間の大きい方のサドル角度と、約
４５度以上から６０度以下までの間の小さい方のサドル角度とを有する請求項１に記載の
鞍状のチップ。
【請求項３】
前記開口は、実質的に円形である請求項１に記載の鞍状のチップ。
【請求項４】
前記開口は、実質的に楕円形である請求項１に記載の鞍状のチップ。
【請求項５】
前記外周縁は、実質的に円形である請求項１に記載の鞍状のチップ。
【請求項６】
前記外周縁は実質的に楕円形である請求項１に記載の鞍状のチップ。
【請求項７】
患者の皮膚と整合する実質的に鞍状の末端表面を有するチップと、
前記チップを移動可能に収容するプレッシャースリーブアセンブリと、を含み、
前記プレッシャースリーブアセンブリは、
筐体と、
第１の位置と第２の位置との間で移動可能なプレッシャースリーブと、
前記筐体と前記プレッシャースリーブとの間に接続されたばねと、
前記筐体に一体に固定されたランセットであって、前記プレッシャースリーブが前記第
１の位置にある場合、覆われ、前記プレッシャースリーブが前記第２の位置にある場合、
前記チップの前記実質的に鞍状の前記末端表面を通じて露出されるランセットと、を含む
穿刺装置。
【請求項８】
前記チップは、前記の動きが前記プレッシャースリーブを動かすように、前記プレッシ
ャースリーブに接続される請求項７に記載の穿刺装置。
【請求項９】
前記ランセットは、前記筐体に取外し可能に接続される請求項７に記載の穿刺装置。
【請求項１０】
前記ばねは、前記プレッシャースリーブを前記第１の位置に戻す請求項７に記載の穿刺
装置。
【請求項１１】
楕円形の開口は、前記ランセットが通過する前記チップ内に形成される請求項７に記載の穿刺装置。
【請求項１２】
円形の開口は、前記ランセットが通過する前記チップ内に形成される請求項７に記載の
穿刺装置。
【請求項１３】
前記穿刺装置は、グルコース監視デバイスによって収容される請求項７に記載の穿刺装
置。
【請求項１４】
前記末端表面は、円形断面を有する請求項７に記載の穿刺装置。
【請求項１５】
前記末端表面は、楕円形断面を有する請求項７に記載の穿刺装置。
【請求項１６】
前記筐体は、前記チップに向かい合う実質的に平面の表面を有し、前記チップに対し加
圧する場合、前記穿刺装置に安定性をもたらす請求項７に記載の穿刺装置。
【請求項１７】
採血方法であって、
穿刺装置における実質的に鞍状であるチップの末端表面を穿刺部位で患者の皮膚と整合
させ、
前記チップの前記鞍状の末端表面に対し針を通過させ、前記穿刺部位で前記患者の皮膚
を穿刺することを含む方法。
【請求項１８】
前記チップを加圧し、前記チップの前記鞍状の末端表面に対し前記針を通過させ、前記
穿刺部位で前記患者の皮膚を穿刺することをさらに含む請求項１７に記載の採血方法。
【請求項１９】
トリガー機構を作動させ、前記チップの前記鞍状の末端表面に対し前記針を通過させ、
前記穿刺部位で前記患者の皮膚を穿刺することをさらに含む請求項１７に記載の採血方法。
【手続補正２】
【補正対象書類名】明細書
【補正対象項目名】００４１
【補正方法】変更
【補正の内容】
【００４１】
本発明の他の例示的な実施例においては、図２７に示されるように、血糖計１０１は、鞍状のチップ１４１を有する。血糖計１０１（異なるチップを有する）の詳細な説明は、全体が参照により本明細書の一部を構成し、２００５年１０月２７日に米国特許出願公開第２００５／０２４０１１９号明細書（特許文献２）として公開された権利者が同一である米国特許出願第１１／１０６，７２８号明細書においてもたらされる。血糖計１０１は、好都合に片手で使用できるように構成された装置本体１１０と、試験片ポート１２０と、装置本体１１０のその端部に配置されたランセットデバイス１３０とを含む。それによって、ランセットデバイス１３０によって摘出された血液滴を、試験片ポート１２０内の試験片（破線で示す）上に直ちに付着可能とされる。取外し可能なカバー１４０は、ランセットの交換を可能にし、また、試験片ポート１２０内へ試験片を好都合に容易に装着するための大きな差込口部１４５をもたらす。装置本体１１０の側面のトリガーボタン１５０により、穿刺中に快適に位置決めすることができる。トリガーボタン１５０は、当業者には知られるように、使用者によって押下された場合のように、トリガーボタン１５０に力が作用した場合、ランセットを作動させるように、装置本体１１０内のランセットデバイス１３０のランセット機構と機械的に係合されている。装置本体１１０の筐体における両側および下部のアーミングスライド１６０は、デバイスの裏面の方へ動かされた場合、ランセットデバイス１３０の穿刺機構を作動状態にする。アーミングスライド１６０の配置が、装置本体１１０の外側の寸法を可能な限り小さく保つ。筐体１７０は、複数の試験片を含む試験片バイアル１７５を収容し、片手でバイアルを開けることができる。装置本体１１０は、試験片を処理する血糖計１８０と、筐体１７０の下部に配置され電子ペン型の注射器または他のデバイスとのデータ交換のためのデータコネクタ（不図示）と、をさらに含む。血糖計１８０は、表示窓１８２と、複数の計器操作ボタン、即ち、複数のコントロール１８４とをさらに含むことができる。筐体１７０は、装置本体１１０から試験片バイアルを取り外すことなく、試験片バイアル１７５のラベルの試験片のロット番号の読み取りを可能にする窓（不図示）をさらに含むことができる。これらの複数の構成要素を単一の装置本体１１０に組み合わせることによって、その装置は、より少ない試験ステップですみ、血糖値を試験するために限られた位置、あるいは、理想的な位置とは言えない位置でさえ、装置をより使いやすくする。鞍状のチップ１４１は、そのような血糖計１０１とともに使用することに限定されるものではなく、全体が参照により本明細書の一部を構成し権利者が同一であるＤｅＮｕｚｚｉｏらの米国特許第７，１９２，４０５号明細書（特許文献３）に記載されているように、任意の適当な血糖計内へ組み込むことができる。
【手続補正書】
【提出日】平成25年7月16日(2013.7.16)
【手続補正１】
【補正対象書類名】特許請求の範囲
【補正対象項目名】請求項１２
【補正方法】変更
【補正の内容】
【請求項１２】
前記第３の溝（２６）は、前記第２の溝（２１）よりも短い、請求項１１に記載のタイヤ（１００）。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
少なくとも２本のタイヤを備えた少なくとも２本のアクスルを有する車両であって、前記タイヤの回転軸線は、或る１本のアクスルと別のアクスルに関して常に互いに平行である、車両において、各アクスルは、前記車両の荷重の少なくとも１０％を支持し、少なくとも２本のアクスルは、走行中、互いに異なる荷重を支持する、車両。
【請求項２】
少なくとも１本のアクスルは、別のアクスルによって支持される荷重よりも少なくとも１５％多い荷重を支持する、請求項１記載の車両。
【請求項３】
前記車両は、３本のアクスルを有し、少なくとも２本のアクスルは、同一の荷重を支持する、請求項１又は２記載の車両。
【請求項４】
前記車両は、３本のアクスルを有し、各アクスルは、異なる荷重を支持する、請求項１又は２記載の車両。
【請求項５】
中間アクスルにより支持される荷重は、他のアクスルにより支持される荷重よりも大きい、請求項３又は４記載の車両。
【請求項６】
車両の荷重を前記車両の数本のアクスルに分配する方法であって、前記アクスルの回転軸線は、或る１本のアクスルと別のアクスルに関して互いに永続的に平行である、方法において、前記車両荷重を前記車両がどのように使用されるかに従って種々のアクスル相互間に分配する、方法。
【請求項７】
前記車両は、３本のアクスルを有し、少なくとも２本のアクスルは、同一の空気ばね内空気圧を常時有する、請求項６記載の方法。
【請求項８】
前記車両は、３本のアクスルを有し、各アクスルは、少なくとも所与の使用中、異なる空気ばね空気圧力を有する、請求項６記載の方法。
【請求項９】
中間アクスルの前記懸架空気ばね内の空気圧は、他のアクスルの空気圧よりも高い、請求項７又は８記載の方法。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
少なくとも２本のタイヤを備えた少なくとも２本のアクスルを有する車両であって、前記タイヤの回転軸線は、或る１本のアクスルと別のアクスルに関して常に互いに平行である、車両において、少なくとも１本のアクスルの前記タイヤは、別のアクスルの前記タイヤのコーナリング剛性よりも高いコーナリング剛性を有する、車両。
【請求項２】
前記車両が３本のアクスルを有する状態において、中間アクスルに取り付けられた前記タイヤのコーナリング剛性は、他のアクスルに取り付けられた前記タイヤのコーナリング剛性よりも高い、請求項１記載の車両。
【請求項３】
前記中間アクスルに取り付けられた前記タイヤのコーナリング剛性は、他のアクスルに取り付けられた前記タイヤのコーナリング剛性よりも少なくとも１０％高い、請求項２記載の車両。
【請求項４】
前記車両が３本のアクスルを有する状態において、各アクスルに取り付けられた前記タイヤのコーナリング剛性は異なっている、請求項１〜３のうちいずれか一に記載の車両。
【請求項５】
少なくとも１本のアクスルは、少なくとも１本の他のアクスルの前記タイヤのトレッドストリップ幅よりも広いトレッドストリップ幅を有するタイヤを備えている、請求項１〜４のうちいずれか一に記載の車両。
【請求項６】
少なくとも１本のアクスルは、少なくとも１本の他のアクスルよりも多くのタイヤを備えている、請求項１〜５のうちいずれか一に記載の車両。
【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
手術用のレーザシステムであって、
レーザビームを生成するレーザエンジンと、
前記レーザエンジンから前記レーザビームを受け取るマルチ機能ビーム調整器と、
前記レーザビームをＸＹ横断方向に走査するＸＹスキャナと
を備え、
前記マルチ機能ビーム調整器が、第１のビームコントローラ及び第２のビームコントローラを含み、前記第１のビームコントローラ及び第２のビームコントローラが、第１及び第２のビーム特徴を制御し、
前記第１のビームコントローラは、前記ＸＹスキャナの前段に配設され、制御された第１の特徴を有するビームを出射し、
前記第２のビームコントローラは、前記ＸＹスキャナの後段に配設され、制御された第１及び第２の特徴を有するビームを出射する、手術用のレーザシステム。
【請求項２】
前記第１のビームコントローラ及び前記第２のビームコントローラは、１つ以上の光学素子を共有する、請求項１記載のレーザシステム。
【請求項３】
前記第１のビームコントローラは、前記ＸＹスキャナの前段に配設された第１のコントローラブロック及び第２のコントローラブロックを備えるマルチブロックコントローラである、請求項１記載のレーザシステム。
【請求項４】
前記第１のコントローラブロック及び前記第２のコントローラブロックは、光学素子を共有する、請求項３記載のレーザシステム。
【請求項５】
前記第２のビームコントローラは、前記ＸＹスキャナの後段に配設された第３のコントローラブロック及び第４のコントローラブロックを備えるマルチブロックコントローラである、請求項１記載のレーザシステム。
【請求項６】
前記第３のコントローラブロック及び前記第４のコントローラブロックは、光学素子を共有する、請求項５記載のレーザシステム。
【請求項７】
前記第１のマルチブロックコントローラは、開口数コントローラであり、前記第２のマルチブロックコントローラは、Ｚスキャナである、請求項５記載のレーザシステム。
【請求項８】
前記第３のコントローラブロックは、前記焦点のＺ深度を第１のＺ走査速度で走査するように構成されており、
前記第４のコントローラブロックは、前記焦点のＺ深度を第２のＺ走査速度で走査するように構成されている、請求項５記載のレーザシステム。
【請求項９】
手術用レーザビームを調整する方法であって、
レーザビームを生成するステップと、
前記レーザビームをマルチ機能ビーム調整器によって受け取るステップと、
前記マルチ機能ビーム調整器の第１のビームコントローラによって第１のビーム特徴を制御し、前記マルチ機能ビーム調整器の第２のビームコントローラによって第２のビーム特徴を制御するステップと、
ＸＹスキャナによって前記レーザビームをＸＹ横断方向に走査するステップと
を含み
前記第１のビーム特徴が前記ＸＹ走査の前に制御され、前記第２のビーム特徴が前記ＸＹ走査の後に制御される、方法。
【請求項１０】
前記第１のビームコントローラは、前記ＸＹスキャナの前段に配設された第１のコントローラブロック及び第２のコントローラブロックを備えるマルチブロックコントローラである、請求項９記載の方法。
【請求項１１】
前記第２のビームコントローラは、前記ＸＹスキャナの後段に配設された第３のコントローラブロック及び第４のコントローラブロックを備えるマルチブロックコントローラである、請求項９記載の方法。
【請求項１２】
前記第１のマルチブロックコントローラは、開口数コントローラであり、前記第２のマルチブロックコントローラは、Ｚスキャナである、請求項１１記載の方法。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
パルスレーザビームを生成するレーザ光源と、
前記パルスレーザビームを受け取り、第１のＺ走査範囲に亘って走査されるＺ走査ビームを出射する第１のＺスキャナと、
前記パルスレーザビームを受け取り、Ｚ方向を横断する２つの方向に走査されたＸＹ走査ビームを出射するＸＹスキャナと、
スキャナハウジング内に配設され、前記ＸＹ走査ビームを受け取り、第２のＺ走査範囲に亘って前記Ｚ方向に追加的に走査されるＸＹＺ走査ビームを出射する第２のＺスキャナと、
前記第２のＺスキャナから受け取った前記ＸＹＺ走査ビームを偏向するミラーと、
対物レンズハウジング内に配設され、前記偏向されたＸＹＺ走査ビームを受け取り、前記受け取ったＸＹＺ走査ビームを標的領域に集光する対物レンズと
を備え、
前記スキャナハウジングは前記対物レンズハウジングから分離されている眼科手術のためのレーザシステム。
【請求項２】
前記スキャナハウジングは、機械的及び機能的の少なくとも一方の形式で、前記対物レンズハウジングから分離されている請求項１記載のレーザシステム。
【請求項３】
前記第２のＺスキャナは、
第１のビーム拡大器ブロックと、
可動ビームスキャナとを備え、
前記第１のビーム拡大器ブロックは、固定ブロック及び可動ブロックのうちの１つである請求項１記載のレーザシステム。
【請求項４】
前記第２のＺ走査範囲は５ｍｍから１０ｍｍまでの間である請求項１記載のレーザシステム。
【請求項５】
前記第２のＺ走査範囲は０ｍｍから１５ｍｍまでの間である請求項１記載のレーザシステム。
【請求項６】
前記第２のＺスキャナは、前記焦点深度が増加するに従って前記開口数を減少させるように構成されている請求項１記載の眼科用レーザシステム。
【手続補正書】
【提出日】平成25年7月22日(2013.7.22)
【手続補正１】
【補正対象書類名】明細書
【補正対象項目名】００３３
【補正方法】変更
【補正の内容】
【００３３】
ミトン（指なし手袋）及びブーティ（短めのブーツ）
以下、図面を詳細に参照するが、図１は、発熱反応加熱型装置１１００を示す。発熱反応加熱型装置１１００は、開放端を有する囲み部１１０４を構成する外層１１０２を備える。図１に示す例示的な実施形態において、外層１１０２は、その周囲にシール１１０６を有する表カバー及び裏カバーを設けることにより構成されてもよい。また、他の実施形態においては、外層１１０２は、単一で一体的な構成であってもよい。本発明の一実施形態において、外層１１０２は、ポリエチレン（ＰＥ）フィルムにより構成されてもよい。なお、当該分野の技術者にとって周知の不透水性材料であれば、いずれのものでも、外層１１０２を構成するのに好適であろう。図１に示すように、開放端を有する囲み部１１０４は、手を受け入れることが可能なミトン（指なし手袋）又はグラブ（指が分かれている手袋）の形状である。当該分野の技術者であれば、本発明の他の実施形態において、開放端を有する囲み部１１０４を、足を受け入れることが可能なブーティ（短めのブーツ）の形状等、種々の形状に形成できることがわかるであろう。さらに、図１は、人の手首又は足首の周りに、開放端を有するカフ部１１１０を固定するためのタブ１１１２を示す。タブ１１１２は、粘着バンド、ボタン、あるいは、開放端を有するカフ部１１１０を固定する他の好適な手段であってもよい。
【手続補正２】
【補正対象書類名】明細書
【補正対象項目名】００３５
【補正方法】変更
【補正の内容】
【００３５】
次に図３を参照するが、同図は発熱反応加熱型装置１１００の一部を示す断面図であり、発熱反応加熱型装置１１００の外側に外層１１０２が設けられている。外層１１０２内側の開放端を有する囲み部１１０４の内部に加熱層１１０８が配置されている。加熱層１１０８は、第１の外部布層１１２０と、発熱反応層１１２４と、第２の外部布層１１２８とを備えている。例示的な実施形態において、第１の外部布層１１２０は、薄葉紙又は同様の材料により構成されてもよい。
【手続補正３】
【補正対象書類名】明細書
【補正対象項目名】００３９
【補正方法】変更
【補正の内容】
【００３９】
上述のように、図１及び図２は、加熱層１１０８内部に配置されたライナ１１１４を示す。例示的な実施形態において、隙間１１３４は、加熱層１１０８とライナ１１１４とを分離する。ライナ１１１４は不透水性材料からなり、手又は足が加熱層１１０８に直接触れないように保護する。不透水性材料としては、天然ゴム、合成ゴム、ポリ塩化ビニル、エチレン酢酸ビニル共重合体、ポリウレタン、アクリル酸重合体、ポリアミド等があるが、これらに限定されるものではない。
【手続補正４】
【補正対象書類名】特許請求の範囲
【補正対象項目名】全文
【補正方法】変更
【補正の内容】
【特許請求の範囲】
【請求項１】
実質的に平坦な複数の層を有する装置であって、
気化熱式冷却を低減するために構成される不透水性層と、
前記不透水性層内部の不透水性ライナと、
前記不透水性層と前記不透水性ライナとの間の透水性層と、
吸収性があり、膨張性がある、親水性ポリマーと、この親水性ポリマーに混合され、さらに前記不透水性層と前記透水性層との間の自己加熱型基板に含浸されるマグネシウム−鉄活性無機質コンパウンドの混合物を備える自己加熱型基板と、
前記自己加熱型基板は、水及び塩にさらされることで少なくとも１時間の間、発熱反応を引き起こし、
前記吸収性があり、膨張性がある、親水性ポリマーは、前記自己加熱基板を調節するので、発熱反応はポリマーがない基板よりも激しくない、
ことを特徴とする装置。
【請求項２】
前記装置が手又は足の受け入れが可能な開放端を有する囲みを形成することを特徴とする、請求項１記載の装置。
【請求項３】
前記装置がミトン（指なし手袋）であることを特徴とする請求項２に記載の装置。
【請求項４】
前記装置がブーティ（短めのブーツ）であることを特徴とする請求項２に記載の装置。
【請求項５】
前記自己加熱型基板には塩が含まれていることを特徴とする、請求項１に記載の装置。
【請求項６】
複数の局所領域処置ゾーンをさらに備えることを特徴とする、請求項１記載の装置。
【請求項７】
前記複数の局所領域処置ゾーンは、ライナ上に配置され、前記ライナはさらに、ワックス、オイル、オイルキャリア、パラフィン、みつろう、生物活性の酵素、アンチエージングペプチド類、カンフル、メントール、カプサイシン、アメリカマンサク、緑茶、グレープフルーツシード、及びユッカルートからなる群から選択される局所処置組成物を備える付着皮膚処置部を含むことを特徴とする、請求項６に記載の装置。
【請求項８】
付着皮膚処置部の皮膚浸透性又は治療効果は、熱と接触すると高められることを特徴とする、請求項７に記載の装置。
【請求項９】
手又は足の周りに前記装置を固定することが可能なカフ部をさらに備えることを特徴とする、請求項１に記載の装置。
【請求項１０】
前記装置は、着用可能なスリーブを形成するように構成されることを特徴とする、請求項１に記載の装置。
【請求項１１】
前記スリーブは、人の腕の一部に合うような寸法であることを特徴とする、請求項１０に記載の装置。
【請求項１２】
前記スリーブは人の足の一部にあうような寸法であることを特徴とする、請求項１１に記載の装置。
【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
パルスレーザビームを生成するレーザエンジンと、
前記生成されたパルスレーザビームを受け取り、走査レーザビームを出射するＸＹスキャナと
を備え、
前記ＸＹスキャナが、
２個のＸ走査ミラーを含むＸスキャナと、
２個のＹ走査ミラーを含むＹスキャナと
を有する、眼科手術のためのレーザシステム。
【請求項２】
前記Ｘスキャナは、前記Ｘスキャナのピボット点が前記Ｘスキャナのミラーから離れた位置にあるように構成されている、請求項１記載のレーザシステム。
【請求項３】
前記Ｘスキャナのピボット点は、実質的に前記Ｙスキャナのミラー上にある、請求項２記載のレーザシステム。
【請求項４】
前記Ｙスキャナは、前記Ｙスキャナのピボット点が前記Ｙスキャナのミラーから離れた位置にあるように構成されている、請求項１記載のレーザシステム。
【請求項５】
前記Ｘスキャナ及びＹスキャナは、前記Ｘスキャナのピボット点が前記Ｘスキャナのミラーから離れた位置にあり、前記Ｙスキャナのピボット点が前記Ｙスキャナのミラーから離れた位置にあり、前記Ｘスキャナの前記ピボット点が前記Ｙスキャナの前記ピボット点と実質的に一致するように構成されている、請求項１記載のレーザシステム。
【請求項６】
前記Ｘスキャナ及びＹスキャナは、前記Ｘスキャナのピボット点が前記Ｙスキャナのピボット点と一致するように構成されている、請求項１記載のレーザシステム。
【請求項７】
前記Ｙスキャナのピボット点は、実質的に後段の光学素子の入射面上にある、請求項１記載のレーザシステム。
【請求項８】
前記Ｙスキャナのピボット点は、実質的に後段の光学素子の入射瞳上にある、請求項１記載のレーザシステム。
【請求項９】
前記ＸＹスキャナは、
前記ＸＹスキャナから出射された走査レーザビームが光軸と形成する角度と、
前記出射された走査レーザビームが光軸に直交する後段の基準面と交わる位置とを実質的に独立して変更するように構成されている、請求項１記載のレーザシステム。
【請求項１０】
前記ＸＹスキャナは、２個のミラーだけを有するＸＹスキャナを含む対応するレーザシステムの収差に比べて、収差を減少させるように構成されている、請求項１記載のレーザシステム。
【請求項１１】
前記ＸＹスキャナは、２個のミラーだけを有するＸＹスキャナを含む対応するレーザシステムの非点収差に比べて、非点収差を減少させるように構成されている、請求項１記載のレーザシステム。
【請求項１２】
前記ＸＹスキャナは、２個のミラーだけを有するＸＹスキャナを含む実質的に同じレーザシステムのコマ収差に比べて、コマ収差を減少させるように構成されている、請求項１記載のレーザシステム。
【請求項１３】
前記ＸＹスキャナは、前記レーザシステムの焦点面において、前記レーザビームを、最大値が５ｍｍより長く、１５ｍｍより短いＸＹ走査範囲に亘って走査するように構成されている、請求項１記載のレーザシステム。
【請求項１４】
前記ＸＹスキャナは、前記レーザシステムの焦点面において、前記レーザビームを、最大値が８ｍｍより長く、１３ｍｍより短いＸＹ走査範囲に亘って走査するように構成されている、請求項１記載のレーザシステム。
【請求項１５】
パルスレーザビームを生成するレーザエンジンと、
前記生成されたパルスレーザビームを受け取り、走査レーザビームを出射するＸＹスキャナと
を備え、
前記ＸＹスキャナは、前記出射された走査レーザビームが光軸と形成する角度と、前記出射された走査レーザビームが光軸に直交する後段の基準面と交わる位置とを実質的に独立して変更するように構成され、
前記ＸＹスキャナは、２個のＸ走査ミラーを含むＸスキャナと、２個のＹ走査ミラーを含むＹスキャナとを有する、眼科手術のためのレーザシステム。
【請求項１６】
Ｘピボット点が、Ｘ走査ミラーから離れた位置にあり、Ｙピボット点が、Ｙ走査ミラーから離れた位置にある、請求項１５記載のレーザシステム。
【請求項１７】
Ｘピボット点が、Ｘ走査ミラーから離れた位置にあり、
Ｙピボット点が、Ｙ走査ミラーから離れた位置にあり、
前記Ｘピボット点は、前記Ｙピボット点に実質的に一致する、請求項１５記載のレーザシステム。
【請求項１８】
前記ＸＹスキャナは、前記レーザシステムの焦点面において、前記レーザビームを、最大値が５ｍｍより長く、１５ｍｍより短いＸＹ走査範囲に亘って走査するように構成されている、請求項１５記載のレーザシステム。
【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
上気道系の癌組織の治療用薬剤の調製のための、生理学的に適合性のある媒質中のHPPHの3〜5mg/m2体表面積の量での使用。
【請求項２】
HPPHの前記量が、3.5〜4.0mg/m2である、請求項１記載の使用。
【請求項３】
前記治療が、前記量のHPPHを前記癌組織を有する患者に注入する処置、24〜60時間待機してHPPHの前記癌組織中への優先吸収を可能にする処置、及び前記癌組織を、約665±5nmの波長の光に約75〜約200ジュール/cmのエネルギーで暴露させる処置を含む請求項１記載の使用。
【請求項４】
前記エネルギーが、約75〜約150ジュール/cmである、請求項３記載の使用。
【請求項５】
前記癌組織が、上皮の癌組織である、請求項１記載の使用。
【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
脚の第１、第２、第３、第４および任意に第５中足骨頭を支持するための第１の領域と、前記第１の領域を取り囲み前記脚の残りの部分を少なくとも部分的に支持するための第２の領域とを含む脚支持上側面を有し、前記第１の領域が、前記第２の領域より小さい下方運動抵抗を提供し、前記第１の領域が、前記第１の領域の残りの部分に対して、内側縁部分と外側縁部分を有する穴またはくぼみ領域を有し、前記くぼみが、中心内側に偏った最低点を有し、それにより前記着用者が立脚中期から推進期に動くときに前記第１中足骨頭の外転が促進され、さらに、前記脚支持上側面は、前記着用者の脚の下側の硬さを変更させる領域にほぼ適合する硬さ変更領域を有する、人間用の靴底、人間の靴内に挿入するための中敷、敷皮または矯正器具。
【請求項２】
前記第１の領域が、前記第２の領域より低いジュロメータ、好ましくは３０〜３５のショアＡ硬さを有する、請求項１に記載の人間用の靴底。
【請求項３】
前記第１の領域が、前記第２の領域によって取り囲まれた材料のプラグ、前記靴底に形成されその上側面から延在する開口、または前記靴底の前記上側面の下に形成された穴から構成された、請求項１または請求項２に記載の靴底。
【請求項４】
前記くぼみが、側壁の上縁から前記くぼみの最低点まで測定して２〜３ｍｍの標準深さを有する、請求項１乃至３のいずれかに記載の靴底。
【請求項５】
前記くぼみが、平面内で実質的に円形、楕円形または卵形である、請求項１乃至４のいずれかに記載の靴底。
【請求項６】
前記くぼみが、細長く、その爪先方向の端が少し幅広である、請求項５に記載の靴底。
【請求項７】
中底、外側土踏まず領域、内側土踏まず領域、および踵領域を有し、前記中底と外側土踏まず領域が、第１の硬さ値を有し、前記内側土踏まず領域が、前記第１の硬さ値より柔かい第２の硬さ値を有し、前記踵領域が、前記第１と第２の硬さ値より固い第３の硬さ値を有する、請求項１に記載の靴底。
【請求項８】
前記外側土踏まず領域が、２０〜６０、好ましくは約４０のショアＣ硬さ値を有し、
前記内側土踏まず領域が、約１５〜５５、好ましくは約３５のショアＣ硬さを有し、
前記踵領域が、約３０〜７０、好ましくは５０のショアＣ硬さを有する、請求項７に記載の靴底。
【請求項９】
前記中底が、前記着用者の前記第１中足骨頭の下にある穴またはくぼみを有する前方領域を有する、請求項１、７、８のいずれかに記載の靴底。
【請求項１０】
前記内側土踏まず領域が、前記第１の硬さ値より少なくとも５ショアＣポイント軟らかいが１０ショアＣポイント以上軟らかくない第２の硬さ値を有し、前記踵領域が、前記第１の硬さ値より少なくとも１０ショアＣポイント硬いが２０ショアＣポイント以上硬くない第３の硬さ値を有する、請求項１、７、８、９のいずれかに記載の靴底。
【請求項１１】
請求項１乃至１０のいずれかに記載の特注または既成の矯正器具。